【手続補正書】
【提出日】平成24年6月4日(2012.6.4)
【手続補正１】
【補正対象書類名】明細書
【補正対象項目名】０００５
【補正方法】変更
【補正の内容】
【０００５】
本発明は、シール保持機構を有したバルブに関するものである。前記バルブは、バルブカートリッジと、バルブステムと、バルブシールとで構成されている。前記バルブカートリッジは、円筒形状のカートリッジボディと、前記カートリッジボディを通って、縦に延びるボアと、前記ボアに交差するように前記カートリッジボディの側壁を通って延びる出口通路と、前記ボアに交差するように前記カートリッジボディの側壁を通って延び、第１端壁に凹凸状エッジを形成する断続入口通路とで構成されている。前記バルブステムは、前記ボアの中で滑動可能に構成される細長い本体と、前記細長い本体の外周を取り囲む首部とシール溝とで構成されている。前記バルブシールは、前記シール溝の中に着座している。前記バルブステムは、前記シール溝が前記断続入口通路を越えて移動するために前記ボアの中で滑動される。前記断続入口通路の間の前記バルブカートリッジの部分は、前記断続入口通路が前記首部に開くまで前記シール溝の中で前記バルブシールを保持している。一つの実施例では、前記断続入口通路は、複数の凸部と凹み部とを有する凹凸状エッジで形成されている。他の実施例では、前記断続入口通路は、複数のボアを有する穴あきエンドで形成されている。
【手続補正２】
【補正対象書類名】特許請求の範囲
【補正対象項目名】全文
【補正方法】変更
【補正の内容】
【特許請求の範囲】
【請求項１】
第１端壁及び第２端壁と、前記第１端壁と前記第２端壁との間に延びる細長い側壁とを有するカートリッジボディと、前記第１端壁から前記第２端壁までカートリッジボディを通り縦に延びるボアと、前記側壁を通り前記第１端壁に近接して前記ボアに延び、前記第１端壁に凹凸状エッジを形成する複数の断続入口通路と、前記側壁を通り前記第１端壁と第２端壁との間で前記ボアに延びる出口通路とを含むバルブカートリッジと、
前記第１端壁と前記第２端壁に近接して前記ボアを閉鎖するために前記カートリッジボディ内に配設される細長い本体と、前記細長い本体の中間位置に設けられ、前記出口通路に近接するように配設される首部と、前記細長い本体の外周面に外接されるシール溝とを含むバルブステムと、
前記ボアと前記細長い本体との間を封鎖するように前記シール溝内に配設されるバルブシールとを備え、
前記バルブステムは、前記首部が液体的に前記断続入口通路と接続するために前記ボアの中で滑動可能に設けられ、前記断続入口通路は、前記バルブシールが前記ボアの中に位置されているとき前記側壁に向けて前記シール溝を液体的に開くように構成されることを特徴とするバルブ。
【請求項２】
前記凹凸状エッジは、複数の半円形状の貝殻形状部と、前記貝殻形状部の間の複数のフランジ部とで構成されることを特徴とする、請求項１に記載のバルブ。
【請求項３】
前記複数の断続入口通路は、前記シール溝が前記断続入口通路を通り過ぎて移動するとき、前記断続入口通路に前記首部が開かれるまで、前記側壁に向けて前記シール溝が液体的に開くように位置されることを特徴とする、請求項１に記載のバルブ。
【請求項４】
前記複数の断続入口通路の間の前記カートリッジボディの部分は、前記断続入口通路に前記首部が開かれるまで前記シール溝からの前記バルブシールの移動を抑制することを特徴とする、請求項３に記載のバルブ。
【請求項５】
前記複数の断続入口通路のそれぞれの高さは、前記バルブシールと前記首部との間の距離とほぼ等しいことを特徴とする、請求項３に記載のバルブ。
【請求項６】
前記複数の断続入口通路のそれぞれは、前記シール溝の高さよりも高い高さを有することを特徴とする、請求項３に記載のバルブ。
【請求項７】
前記断続入口通路は、前記シール溝が前記断続入口通路を通り過ぎて移動するとき、前記ボア、前記バルブシール及び前記細長い本体との間で形成される前記シールを分断することを特徴とする、請求項１に記載のバルブ。
【請求項８】
前記断続入口通路は、前記シール溝が前記断続入口通路を通り過ぎて移動するとき、前記バルブシールを横切る圧力差を徐々に減少することを特徴とする、請求項１に記載のバルブ。
【請求項９】
前記断続入口通路は、前記シール溝が前記断続入口通路を通り過ぎて移動するとき、流体が前記ボアと前記細長い本体との間を流れるように前記バルブシールの下部に流れることを許可することを特徴とする、請求項１に記載のバルブ。
【請求項１０】
外周面を有するステムボディと、前記外周面の周囲に形成される分配凹み部と、前記外周面の周囲に形成されるシール溝とを有するバルブステムと、
前記シール溝内に配設されるバルブシールと、
細長い側面を有するカートリッジボディと、前記カートリッジボディと前記ステムボディとの間に前記分配凹み部が排出通路を形成するように前記ステムボディの前記外周面が接触し移動するよう内部に配設され、前記カートリッジボディを通って縦に延びる受け口と、前記排出通路を交差して前記バルブカートリッジ内に延びる排出口と、前記受け口の中で前記シール溝に前記細長い側面を当接して構成される流路と、前記シール溝の中に前記バルブシールを保持するために配設され、前記流路の近傍に配設される保持部材とからなる前記カートリッジボディの端部に不均一のエッジを備え、バルブカートリッジ端部の近傍に配設されるシール保持機構とを含むバルブカートリッジとで構成されることを特徴とする線形作動バルブ。
【請求項１１】
前記シール保持機構は、前記バルブカートリッジ端部の凹凸状トップからなることを特徴とする、請求項１０に記載の線形作動バルブ。
【請求項１２】
前記凹凸状トップは、前記流路を形成する複数の凹み部と、前記保持部材を形成する複数の凸部とで構成されることを特徴とする、請求項１１に記載の線形作動バルブ。
【請求項１３】
前記バルブステムは、前記排出通路を通って前記排出口に前記流路を液体的に接続するために前記受け口の中で滑動可能に配設され、前記保持部材は、前記排出口が前記流路をあけるまで前記シール溝の中に前記バルブシールを保持するよう構成されることを特徴とする、請求項１０に記載の線形作動バルブ。
【請求項１４】
圧縮流体供給源に接続するための上流端と、分配配管を有する下流端とを含む内部通路を備えるプラットホームと、
第１端壁と第２端壁と、前記第１端壁と前記第２端壁との間に延びる細長い側壁とを有するカートリッジボディと、前記カートリッジボディを通って縦に延びるボアと、前記ボアに前記細長い側壁を通って延び、前記第１端壁に凹凸状エッジを形成する複数の断続入口通路と、前記ボアに前記細長い側壁を通って延びる出口通路とを含むバルブカートリッジと、前記第１端壁と前記第２端壁とに近い前記ボアを閉じるために前記バルブカートリッジの中に配設される細長い本体を含むバルブステムと、前記出口通路に面するように形成される前記細長い本体の首部と、前記細長い本体の外周面を取り囲むように形成されるシール溝と、前記ボアと前記細長い本体との間を封鎖するために前記シール溝に配設されるバルブシールとを含み、前記上流端と前記下流端との間の前記プラットホームに取り付けられ、前記バルブシールは前記ボアの中に配設され、前記細長い側壁に前記シール溝が液体的に開かれるよう構成され、前記断続入口通路と前記首部が液体的に接続するよう前記ボアの中で前記バルブステムが滑動可能なシールリテイニングバルブと、
閉位置に前記シールリテイニングバルブを偏らせるために前記バルブステムと前記プラットホームとの間に配設されるバルブスプリングと、
前記シールリテイニングバルブを開くために前記バルブカートリッジの中で前記バルブステムを作動させるよう構成され、前記プラットホームに取り付けられるトリガーとで構成されることを特徴とする流体分配計量器。
【請求項１５】
前記流体分配計量器に流体の流量を表示するためのディスプレイと、ユーザーインターフェースと、通信回路とで構成され、前記プラットホームに取り付けられる計量電子部品と、
前記内部通路を通った流体の体積流量を計測するために前記計量電子部品に接続され、前記内部通路に配設される計量装置と、
前記計量電子部品と前記トリガーとに接続され、前記バルブステムを作動させるのを防止するために配設されるトリガーリリース機構とを更に含んで構成されることを特徴とする、請求項１４に記載の流体分配計量器。
【請求項１６】
第１端壁及び第２端壁と、前記第１端壁と前記第２端壁との間に延びる細長い側壁とを有するカートリッジボディと、前記第１端壁から前記第２端壁までカートリッジボディを通り縦に延びるボアと、前記側壁を通り前記第１端壁に近接して前記ボアに延びる複数の断続入口通路と、前記側壁を通り前記第１端壁と第２端壁との間で前記ボアに延びる出口通路とを含むバルブカートリッジと、
前記第１端壁と前記第２端壁に近接して前記ボアを閉鎖するために前記カートリッジボディ内に配設される細長い本体と、前記細長い本体の中間位置に設けられ、前記出口通路に近接するように配設される首部と、前記細長い本体の外周面に外接されるシール溝とを含むバルブステムと、
前記ボアと前記細長い本体との間を封鎖するように前記シール溝内に配設されるバルブシールとを備え、
前記バルブステムは、前記首部が液体的に前記断続入口通路と接続するために前記ボアの中で滑動可能に設けられ、前記断続入口通路は、前記バルブシールが前記ボアの中に位置されているとき前記側壁に向けて前記シール溝を液体的に開くように構成され、
前記複数の断続入口通路は、前記シール溝が前記断続入口通路を通り過ぎて移動するとき、前記断続入口通路に前記首部が開かれるまで、前記側壁に向けて前記シール溝が液体的に開くように位置されることを特徴とするバルブ。
【請求項１７】
前記複数の断続入口通路の間の前記カートリッジボディの部分は、前記断続入口通路に前記首部が開かれるまで前記シール溝からの前記バルブシールの移動を抑制することを特徴とする、請求項１６に記載のバルブ。
【請求項１８】
前記複数の断続入口通路のそれぞれの高さは、前記バルブシールと前記首部との間の距離とほぼ等しいことを特徴とする、請求項１６に記載のバルブ。
【請求項１９】
前記複数の断続入口通路のそれぞれは、前記シール溝の高さよりも高い高さを有することを特徴とする、請求項１６に記載のバルブ。
【請求項２０】
前記複数の断続入口通路は、前記第１端壁に穴あきエンドを形成してなることを特徴とする、請求項１６に記載のバルブ。
【請求項２１】
前記穴あきエンドは、複数の円形の穴で構成されることを特徴とする、請求項２０に記載のバルブ。
【請求項２２】
前記複数の断続入口通路は、前記第１端壁に、複数の半円形状の貝殻形状部と、前記貝殻形状部の間の複数のフランジ部とで構成される凹凸状エッジを形成してなることを特徴とする、請求項１６に記載のバルブ。